(57)【要約】【課題】延伸機等のチェーン駆動装置において、人が装置内に入らなくても、ガイドレールの側壁部の上面に漏れ出た潤滑油を簡便に充分に拭き取れ、該潤滑油に起因する不具合を抑制できるチェーン駆動装置用清掃装置を提供することを目的とする。【解決手段】ガイドレール１１０と、ガイドレール１１０内を走行するチェーン１１４と、ガイドレール１１０上に露出するようにチェーン１１４上に設置された複数のクリップ１２６とを有し、ガイドレール１１０内に潤滑油が供給される延伸機１００を清掃する清掃装置であって、クリップ１２６に把持される被把持部１０と、被把持部１０と接続され、被把持部１０がクリップ１２６により把持された状態でガイドレール１１０の側壁部１３２の上面１３２ａに接する上面拭取部１２と、を有する、チェーン駆動装置用清掃装置１。【選択図】図４
2015186788.tif 000002
【特許請求の範囲】
【請求項１】
底部及び該底部から対向して立ち上がる一対の側壁部を有する、溝状に形成されたガイドレールと、前記ガイドレール内を該ガイドレールに沿って走行するチェーンと、前記ガイドレール上に露出するように前記チェーン上に設置された複数のクリップとを有し、前記ガイドレール内に潤滑油が供給されるチェーン駆動装置を清掃する清掃装置であって、
前記クリップに把持される被把持部と、
前記被把持部と接続され、前記被把持部が前記クリップにより把持された状態で前記ガイドレールの側壁部の上面に接する上面拭取部と、を有する、チェーン駆動装置用清掃装置。
【請求項２】
さらに、前記被把持部が前記クリップにより把持された状態で前記ガイドレールの側壁部の外側面に接する外側面拭取部を有する、請求項１に記載のチェーン駆動装置用清掃装置。
【発明の詳細な説明】
【技術分野】
【０００１】
本発明は、チェーン駆動装置用清掃装置に関する。
【背景技術】
【０００２】
例えば、樹脂フィルム等のシート状物を幅方向に延伸しつつ搬送する延伸機として、以下のものが知られている。
一対の無端チェーンに設置したクリップでシート状物の両側端部を把持し、該無端チェーンをスプロケットにより駆動してシート状物を流れ方向に搬送するとともに、対向するクリップ間の距離を拡げ、シート状物を連続的に横延伸する（幅出し）、いわゆるテンター式の横延伸機（特許文献１、２）。
【０００３】
このような延伸機では、底部及び該底部から対向して立ち上がる一対の側壁部を有するガイドレールのガイド溝に無端チェーンが嵌め込まれ、該無端チェーン上に、ガイドレールから露出するようにクリップが設置される。無端チェーンがスプロケットで駆動されてガイドレールに沿って走行することで、クリップがガイドレールに沿って走行し、該クリップに把持されたシート状物が搬送される。
また、ガイドレールの間隔を下流側に向かって徐々に拡げておくことで、搬送されるシート状物が幅方向に引っ張られる。さらに、搬送されるシート状物に上方及び下方から熱風を吹き付け、該シート状物を加熱する。これにより、該シート状物が搬送されつつ横延伸される。
【０００４】
また、前記延伸機のようなチェーン駆動装置では、ガイドレール、無端チェーン、クリップ等の部材同士の摺接による摩耗によって金属粉が生じることを抑制する、無端チェーン及びクリップの走行を滑らかにする、等の目的で、ガイドレール内に潤滑油が供給される。
【先行技術文献】
【特許文献】
【０００５】
【特許文献１】特開昭５９−２１８８２０号公報
【特許文献２】特開昭５９−４８１２３号公報
【発明の概要】
【発明が解決しようとする課題】
【０００６】
しかし、前記延伸機のようなチェーン駆動装置では、ガイドレールに供給された潤滑油がシート状物に付着することがある。シート状物に潤滑油が付着すると、潤滑油の付着部分で印刷抜けが生じる等、後工程において不具合が生じる。
該潤滑油の付着について本発明者らが検討したところ、装置の運転中に、ガイドレール内に供給された潤滑油が側壁部の上面に徐々に漏れ出し、該側壁部の上面の外縁まできた潤滑油が風（熱風等）で吹き上げられてシート状物に付着していることが判明した。
【０００７】
ガイドレールの側壁部の上面に漏れ出た潤滑油を充分に拭き取れば、潤滑油がシート状物に付着することを抑制できると考えられる。しかし、前記延伸機のようなチェーン駆動装置では、装置内が狭かったり、熱風等で装置内が高温になっていたりすることが多く、装置内に人が入り込んでガイドレールを清掃することは困難である。また、装置内に人が入って清掃する場合は清掃者が負傷しないように装置を一旦停止する必要もある。
【０００８】
本発明は、潤滑油が供給されたガイドレールに沿って、チェーン及び該チェーンに設置されたクリップが走行する、延伸機等のチェーン駆動装置において、人が装置内に入らなくても、ガイドレールの側壁部の上面に漏れ出た潤滑油を簡便に充分に拭き取れ、該潤滑油に起因する不具合を抑制できるチェーン駆動装置用清掃装置を提供することを目的とする。
【課題を解決するための手段】
【０００９】
本発明のチェーン駆動装置用清掃装置は、底部及び該底部から対向して立ち上がる一対の側壁部を有する、溝状に形成されたガイドレールと、前記ガイドレール内を該ガイドレールに沿って走行するチェーンと、前記ガイドレール上に露出するように前記チェーン上に設置された複数のクリップとを有し、前記ガイドレール内に潤滑油が供給されるチェーン駆動装置を清掃する清掃装置であって、前記クリップに把持される被把持部と、前記被把持部と接続され、前記被把持部が前記クリップにより把持された状態で前記ガイドレールの側壁部の上面に接する上面拭取部と、を有することを特徴とする。
【００１０】
本発明のチェーン駆動装置用清掃装置では、さらに、前記被把持部が前記クリップにより把持された状態で前記ガイドレールの側壁部の外側面に接する外側面拭取部を有することが好ましい。
【発明の効果】
【００１１】
本発明のチェーン駆動装置用清掃装置は、潤滑油が供給されたガイドレールに沿って、チェーン及び該チェーンに設置されたクリップが走行する、延伸機等のチェーン駆動装置において、人が装置内に入らなくても、ガイドレールの側壁部の上面に漏れ出た潤滑油を簡便に充分に拭き取ることができ、該潤滑油に起因する不具合を抑制できる。
【図面の簡単な説明】
【００１２】
【図１】フィルム延伸機の概略構成を示した模式図である。
【図２】図１のフィルム延伸機の要部を示す部分縦断面図である。
【図３】本発明のチェーン駆動装置用清掃装置の一例を示した斜視図である。
【図４】図３のチェーン駆動装置用清掃装置を図２のフィルム延伸機に取り付けた様子を示した部分縦断面図である。
【図５】本発明の他の例のチェーン駆動装置用清掃装置を図２のフィルム延伸機に取り付けた様子を示した部分縦断面図である。
【発明を実施するための形態】
【００１３】
＜フィルム延伸機＞
以下、本発明のチェーン駆動装置用清掃装置（以下、単に清掃装置ということがある。）を適用するチェーン駆動装置の一例として、図１及び図２に例示したフィルム延伸機１００（以下、延伸機１００という。）について説明する。
延伸機１００は、図１及び図２に示すように、一対のガイドレール１１０，１１２と、一対の無端チェーン１１４，１１６と、スプロケット１１８，１２０，１２２，１２４と、複数のクリップ１２６，１２６，・・・と、熱風を吹き出すノズル１６０，１６２とを有する。
なお、図１では、便宜上、複数のクリップ１２６，１２６，・・・のうちの一部のみを図示している。
【００１４】
無端チェーン１１４は、スプロケット１１８，１２０によって駆動され、ガイドレール１１０内をガイドレール１１０に沿って走行するようになっている。
無端チェーン１１６は、スプロケット１２２，１２４によって駆動され、ガイドレール１１２内をガイドレール１１２に沿って走行するようになっている。
【００１５】
ガイドレール１１０は、底部１２８と、底部１２８から対向して立ち上がる一対の側壁部１３０，１３２を有し、無端チェーン１１４を駆動するスプロケット１１８とスプロケット１２０の間に溝状に形成されている。同様に、ガイドレール１１２は、底部１２８と、底部１２８から対向して立ち上がる一対の側壁部１３０，１３２を有し、無端チェーン１１６を駆動するスプロケット１２２とスプロケット１２４の間に溝状に形成されている。
【００１６】
クリップ１２６は、無端チェーン１１４，１１６に取り付けられるクリップベース部１３４と、クリップベース部１３４上に設けられ、フィルム２００を把持するクリップ本体１３６とを有している。
【００１７】
クリップベース部１３４は、上板１３８及び下板１４０と、上板１３８及び下板１４０におけるフィルム２００を把持する側の対向する端部をつなぐ縦板１４２と、上板１３８を貫通し、下板１４０に接するように垂設された連結ピン１４４とを有している。
クリップ本体１３６は、クリップベース部１３４上に設けられた台座部１４６と、台座部１４６によって支持された、フィルム２００を挟んで把持する把持部１４８とを有する。
【００１８】
クリップ１２６は、クリップベース部１３４の上板１３８、下板１４０及び縦板１４２の内側に無端チェーン１１４，１１６が嵌まり込んだ状態で、ガイドレール１１０，１１２に嵌め込まれ、クリップ本体１３６がガイドレール１１０，１１２上に露出している。
上板１３８から下板１４０まで垂設された連結ピン１４４は、無端チェーン１１４，１１６の外プレート１１４ａ，１１６ａ、ローラ１１４ｂ，１１６ｂ及び内プレート１１４ｃ，１１６ｃに挿入されている。
このように、クリップ１２６は、クリップベース部１３４が無端チェーン１１４，１１６に固定されることで、ガイドレール１１０，１１２上に露出するように無端チェーン１１４，１１６上に設置されている。
【００１９】
延伸機１００では、無端チェーン１１４がスプロケット１１８，１２０により駆動し、ガイドレール１１０に沿って走行することで、無端チェーン１１４上に設置された複数のクリップ１２６，１２６，・・・がガイドレール１１０に沿って走行する。同様に、無端チェーン１１６がスプロケット１２２，１２４により駆動し、ガイドレール１１２に沿って走行することで、無端チェーン１１６上に設置された複数のクリップ１２６，１２６，・・・がガイドレール１１２に沿って走行する。
【００２０】
ノズル１６０は、クリップ１２６で把持されるフィルム２００の上方に位置するように設置されている。ノズル１６０より上方からフィルム２００に熱風が吹き付けられることで、フィルム２００が加熱されるようになっている。
ノズル１６２は、クリップ１２６で把持されるフィルム２００の下方に位置するように設置されている。ノズル１６２より下方からフィルム２００に熱風が吹き付けられることで、フィルム２００が加熱されるようになっている。
【００２１】
ガイドレール１１０，１１２内には、潤滑油が供給される。これにより、運転時において、クリップベース部１３４や無端チェーン１１４，１１６とガイドレール１１０，１１２が摺接する部分や、無端チェーン１１４，１１６を構成する部材同士が摺接する部分から金属粉が発生することを抑制できる。また、部材間の摩擦が低減されることで、無端チェーン１１４，１１６及びクリップ１２６がガイドレール１１０，１１２に沿って滑らかに走行できるようになる。
【００２２】
具体的には、この例では、ガイドレール１１０，１１２におけるフィルム２００を把持する側の側壁部１３２の上部に形成された潤滑油供給路１５０から、ガイドレール１１０，１１２内に連続的又は間欠的に潤滑油が供給される。また、ガイドレール１１０，１１２の側壁部１３２の下部には、潤滑油を排出する潤滑油排出路１５２が形成されている。潤滑油供給路１５０からの潤滑油の供給と、潤滑油排出路１５２から潤滑油の排出により、ガイドレール１１０，１１２内の潤滑油が随時更新されるようになっている。
【００２３】
延伸機１００によるフィルム２００の延伸は、以下のように行われる。
図１及び図２に示すように、帯状のフィルム２００の幅方向の両側の端部をクリップ１２６の把持部１４８で把持した状態で、無端チェーン１１４，１１６をスプロケット１１８，１２０，１２２，１２４により駆動して走行させる。これにより、フィルム２００が流れ方向（図中α方向。）に搬送される。
また、一対のガイドレール１１０，１１２は、途中で下流側に向かって互いの距離が徐々に長くなり、上流側の間隔に比べて下流側の間隔が広くなるように形成されている。そのため、クリップ１２６により幅方向の両側の端部が把持されたフィルム２００は、流れ方向に搬送されつつ幅方向（図中β方向。）に引っ張られる。さらに、搬送されるフィルム２００は、ノズル１６０，１６２より熱風が上下から吹きつけられて加熱される。これにより、延伸機１００ではフィルム２００が搬送されつつ連続的に横延伸される。
【００２４】
＜清掃装置＞
以下、本発明の清掃装置の一例として、前記した延伸機１００を清掃するチェーン駆動装置用清掃装置１（以下、清掃装置１という。）について説明する。
清掃装置１は、延伸機１００のガイドレール１１０，１１２における、フィルム２００が把持される側の側壁部１３２の上面１３２ａに漏れ出た潤滑油を拭き取る装置である。
【００２５】
清掃装置１は、図３及び図４に示すように、延伸機１００のクリップ１２６に把持される被把持部１０と、被把持部１０がクリップ１２６により把持された状態でガイドレール１１０，１１２の側壁部１３２の上面１３２ａに接する上面拭取部１２と、被把持部１０と上面拭取部１２を接続する接続部１４とを有する。
【００２６】
この例の被把持部１０の形状は、平板状である。
なお、被把持部１０の形状は、被把持部１０をクリップ１２６により把持することで、上面拭取部１２がガイドレール１１０，１１２の側壁部１３２の上面１３２ａに接した状態で維持される形状であればよい。例えば、被把持部１０の形状は、円柱状、角柱状等であってもよい。
被把持部１０の形状としては、より安定して清掃装置１を固定できる点から、平板状が好ましい。
【００２７】
被把持部１０の数は、この例では１つである。
なお、被把持部１０の数は、クリップ１２６により把持することで、上面拭取部１２がガイドレール１１０，１１２の側壁部１３２の上面１３２ａに接した状態で維持される範囲であれば、２つ以上であってもよい。
【００２８】
被把持部１０の材質は、被把持部１０をクリップ１２６により把持することで、上面拭取部１２がガイドレール１１０，１１２の側壁部１３２の上面１３２ａに接した状態で維持されるものであればよい。
被把持部１０としては、例えば、金属、樹脂成形体、天然樹脂製又は合成樹脂製のスポンジ等が挙げられる。なかでも、延伸機の保護の点から、樹脂成形体が好ましく、耐熱性の樹脂成形体がより好ましい。
【００２９】
この例の上面拭取部１２の形状は、平板状である。
なお、上面拭取部１２の形状は、被把持部１０をクリップ１２６により把持することで、上面拭取部１２がガイドレール１１０，１１２の側壁部１３２の上面１３２ａに接した状態で維持される形状であればよい。例えば、上面拭取部１２の形状は、円柱状、角柱状等であってもよい。
上面拭取部１２の形状としては、側壁部１３２の上面１３２ａへの接触面積を大きくしやすく、側壁部１３２の上面１３２ａに漏れ出た潤滑油を充分に拭き取りやすい点から、平板状が好ましい。
【００３０】
この例のように、クリップ１２６の台座部１４６が側壁部１３２上まで延びている場合、上面拭取部１２の厚みは、クリップ１２６の台座部１４６と側壁部１３２の上面１３２ａの隙間の間隔と同等であることが好ましい。これにより、クリップ１２６の台座部１４６と側壁部１３２の上面１３２ａの隙間に挿入された上面拭取部１２が、より安定してガイドレール１１０，１１２の側壁部１３２の上面１３２ａに接した状態で維持される。そのため、側壁部１３２の上面１３２ａに漏れ出た潤滑油を充分に拭き取りやすくなる。
【００３１】
上面拭取部１２の数は、この例では１つであるが、側壁部１３２の上面１３２ａに漏れ出た潤滑油を充分に拭き取れる範囲であれば、２つ以上であってもよい。
【００３２】
上面拭取部１２の材質は、側壁部１３２の上面１３２ａに漏れ出た潤滑油を拭き取って充分に取り除けるものであればよい。
上面拭取部１２としては、例えば、天然樹脂製又は合成樹脂製のスポンジ、芯材（金属、樹脂成形体等）に布を巻いたもの等が挙げられる。なかでも、潤滑油を充分に拭き取りやすい点から、芯材に布を巻いたものが好ましい。
【００３３】
接続部１４の形状及び材質は、被把持部１０をクリップ１２６により把持することで、上面拭取部１２がガイドレール１１０，１１２の側壁部１３２の上面１３２ａに接した状態で維持される形状であればよい。
接続部１４の材質としては、例えば、被把持部１０で挙げたものと同じものが挙げられ、好ましい態様も同じである。
【００３４】
清掃装置１の製造方法は、特に限定されず、例えば、被把持部１０、上面拭取部１２及び接続部１４を樹脂製のスポンジとする場合、公知の発泡成形法等を採用できる。
【００３５】
［清掃方法］
延伸機１００の運転中においては、ガイドレール１１０，１１２内に潤滑油が供給された状態で無端チェーン１１４，１１６及び複数のクリップ１２６，１２６，・・・が走行していることで、ガイドレール１１０，１１２の側壁部１３２の上面１３２ａに徐々に潤滑油が漏れ出てくる。また、延伸機１００の運転中は、延伸するフィルム２００に対し、ノズル１６２より下方から熱風が吹き付けられる。そのため、ガイドレール１１０，１１２の側壁部１３２の上面１３２ａに漏れ出て、該上面１３２ａの外縁まできた潤滑油が、熱風によって吹き飛ばされ、フィルム２００に付着することがある。フィルム２００に潤滑油が付着すると、後工程において印刷抜け等の不具合が生じる。
そのため、清掃装置１を用いて、延伸機１００を定期的に清掃する。
【００３６】
清掃装置１により延伸機１００の清掃を行う際には、まず延伸機１００へのフィルム２００の供給を停止する。その後、クリップ１２６に、フィルム２００の代わりに清掃装置１の被把持部１０を把持させ、清掃装置１の上面拭取部１２がガイドレール１１０，１１２の側壁部１３２の上面１３２ａに接するようにする。
【００３７】
清掃装置１は、ガイドレール１１０とガイドレール１１２のそれぞれに対して、少なくとも１つ設置する。
１つのガイドレールに対して設置する清掃装置の数は、ガイドレール１０ｍあたり、１〜５個が好ましく、２〜３個がより好ましい。前記清掃装置の数が前記下限値以上であれば、ガイドレールの側壁部の上面に漏れ出た潤滑油を充分に拭き取りやすくなる。前記清掃装置の数が前記上限値以下であれば、清掃装置の設置が容易になり、清掃がより簡便に行える。
【００３８】
このように、上面拭取部１２がガイドレール１１０，１１２の側壁部１３２の上面１３２ａに接するようにクリップ１２６で固定された清掃装置１は、スプロケット１１８，１２０，１２２，１２４により駆動する無端チェーン１１４，１１６の走行により、クリップ１２６とともに走行する。このとき、清掃装置１の上面拭取部１２がガイドレール１１０，１１２の側壁部１３２の上面１３２ａ上を摺動し、側壁部１３２の上面１３２ａに漏れ出た潤滑油が拭き取られる。
【００３９】
清掃装置１による清掃は、ガイドレール１１０，１１２の側壁部１３２の上面１３２ａの全てが清掃装置１の上面拭取部１２により拭かれるまで行う。例えば、ガイドレール１１０，１１２のそれぞれに対して１つのみ清掃装置１を設置した場合は、少なくとも清掃装置１を設置した場所まで、清掃装置１が戻ってくるまで行う。
【００４０】
このように、ガイドレール１１０，１１２におけるいずれの場所で清掃装置１の設置を行っても、ガイドレール１１０，１１２における側壁部１３２の上面１３２ａを全周にわたって清掃できる。したがって、清掃装置１の設置を行う場所は、ガイドレール１１０，１１２におけるいずれの場所でもよい。そのため、清掃装置１の設置場所を、ガイドレール１１０，１１２における上流側のスプロケット１１８，１２２の近傍等にすることで、延伸機１００の内部に入らなくても清掃装置１の設置が簡便に行える。また、延伸機１００の内部に人が入って負傷するおそれがないため、延伸機１００の清掃を行う際に必ずしも無端チェーン１１４，１１６の駆動を一旦停止しなくてもよい。
【００４１】
清掃を行う時期は、特に限定されず、例えば、延伸機１００の前段に配置される金型の清掃時等、延伸機１００へのフィルムの供給が停止される際に清掃を行うことができる。
【００４２】
以上説明した本発明の清掃装置を用いれば、潤滑油が供給されたガイドレール内を、複数のクリップが設置されたチェーンが走行するチェーン駆動装置における、ガイドレールの側壁部の上面に漏れ出た潤滑油を充分に拭き取ることができる。その結果、潤滑油に起因する後工程の不具合が抑制される。
また、本発明の清掃装置を用いれば、装置内が狭い場合や、装置内が高温になる場合等、人が簡単に内部に入り込めないチェーン駆動装置であっても、ガイドレールの側壁部の上面に漏れ出た潤滑油を簡便に拭き取ることができる。また、人が装置内に入らなくてもよいため、チェーン駆動装置のチェーン駆動を一旦停止しても、停止しなくても、簡便に清掃が行える。
【００４３】
なお、本発明の清掃装置は、前記した清掃装置１には限定されない。
例えば、本発明の清掃装置は、図５に例示したチェーン駆動装置用清掃装置２（以下、清掃装置２という。）であってもよい。図５における図４と同じ部分は、同符号を付して説明を省略する。
清掃装置２は、上面拭取部１２から下方に延出する外側面拭取部１６を有する以外は、清掃装置１と同じである。
【００４４】
外側面拭取部１６は、被把持部１０がクリップ１２６により把持された状態で、ガイドレール１１０，１１２における側壁部１３２の外側面１３２ｂに接するようになっている。
【００４５】
外側面拭取部１６の形状としては、被把持部１０をクリップ１２６により把持することで、外側面拭取部１６がガイドレール１１０，１１２の側壁部１３２の外側面１３２ｂに接した状態で維持される形状であればよい。外側面拭取部１６の形状の具体例としては、例えば、平板状、円柱状、角柱状等が挙げられる。
外側面拭取部１６の形状としては、側壁部１３２の外側面１３２ｂへの接触面積を大きくしやすく、側壁部１３２の外側面１３２ｂに垂れた潤滑油を充分に拭き取りやすい点から、平板状が好ましい。
【００４６】
外側面拭取部１６の数は、側壁部１３２の外側面１３２ｂに垂れた潤滑油を充分に拭き取れる範囲であれば、１つであってもよく、２つ以上であってもよい。
【００４７】
外側面拭取部１６の材質は、側壁部１３２の外側面１３２ｂに垂れた潤滑油を拭き取って充分に取り除けるものであればよく、例えば、上面拭取部１２で挙げたものと同じものが挙げられ、好ましい態様も同じである。
【００４８】
清掃装置２では、ガイドレール１１０，１１２の側壁部１３２の上面１３２ａに漏れ出た潤滑油を上面拭取部１２で拭き取りつつ、側壁部１３２の外側面１３２ｂに垂れた潤滑油を外側面拭取部１６で同時に拭き取ることができる。そのため、潤滑油に起因する不具合をより安定して抑制できる。
【００４９】
また、本発明の清掃装置の形態は、清掃装置１，２のような形態には限定されない。例えば、清掃対象となるチェーン駆動装置によっては、本発明の清掃装置の形態を、上面拭取部や外側面拭取部が被把持部と直接つながった形態としてもよい。
【００５０】
また、本発明の清掃装置が清掃対象とするチェーン駆動装置は、前記した延伸機１００には限定されない。例えば、無端チェーンとしてパンタグラフ状のユニットを有する延伸機の清掃に用いる清掃装置としてもよく、縦横の同時２軸延伸が可能とされた延伸機の清掃に用いるものとしてもよい。
【００５１】
また、本発明の清掃装置は、フィルム延伸機以外のチェーン駆動装置を清掃するものとしてもよい。例えば、本発明の清掃装置は、延伸機構を備えていない、シート状物を搬送するチェーン駆動装置等の清掃に用いるものであってもよい。
また、本発明の清掃装置は、有端チェーンを備えるチェーン駆動装置の清掃に用いるものとしてもよい。
また、本発明の清掃装置は、樹脂フィルム等のフィルム以外のシート状物（金属シート、紙、不織布等）を取り扱うチェーン駆動装置の清掃に用いるものとしてもよい。
【符号の説明】
【００５２】
１，２  チェーン駆動装置用清掃装置
１０  被把持部
１２  上面拭取部
１４  接続部
１６  外側面拭取部
１００  延伸機
１１０，１１２  ガイドレール
１１４，１１６  無端チェーン
１１８，１２０，１２２，１２４  スプロケット
１２６  クリップ
【図１】
2015186788.tif 000003
【図２】
2015186788.tif 000004
【図３】
2015186788.tif 000005
【図４】
2015186788.tif 000006
【図５】
2015186788.tif 000007